【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
ネイキッドコレーション包装体を形成する方法であって、
ａ．フィルムポリオレフィン材料に個別にラッピングされた包装体の配列を準備すること、
ｂ．前記個別にラッピングされた包装体を、裸梱包形態でラッピングするための、ネイキッドコレーションフィルムを準備することであって、前記ネイキッドコレーションフィルムは、ポリオレフィンコア層（Ｃ）と、前記ネイキッドコレーションフィルムの内表面上のポリオレフィン内側シール層（Ａ）と、及び前記ネイキッドコレーションフィルムの外表面上のポリオレフィン外側シール層（Ｂ）とを備え、前記内側シール層（Ａ）のポリオレフィン材料は、特定のシール条件下で、前記個別にラッピングされた包装体の前記フィルムポリオレフィン材料にシール適合しないように選択され、前記外側シール層（Ｂ）のポリオレフィン材料は、前記選択されたシール条件下で、前記外側シール層（Ｂ）にシール適合し且つ前記内側シール層（Ａ）にシール適合するように選択され、前記個別にラッピングされた包装体の前記フィルムポリオレフィン材料の外面は、炭素鎖長ｘを有するモノマーオレフィンに由来する少なくとも１つのポリオレフィン成分を含み、前記内側シール層（Ａ）の前記ポリオレフィン材料は、前記炭素鎖長ｘと異なる炭素鎖長ｙを有するモノマーオレフィンに由来する少なくとも１つのポリオレフィン成分を含む、ネイキッドコレーションフィルムを準備すること、
ｃ．前記ネイキッドコレーションフィルムのポリオレフィンシール層（Ａ）に接するように、規則的配置で前記個別にラッピングされた包装体を配列すること、
ｄ．前記個別にラッピングされた包装体の前記規則的配置の回りに前記ネイキッドコレーションフィルムをラッピングして、重なり合う縁を有するフィルム筒を形成すること、
ｅ．前記内側シール層（Ａ）を前記個別にラッピングされた包装体の前記フィルムポリマー材料にシールさせることなく、前記フィルム筒の前記重なり合う縁を合わせてシールすることによって、円周シールを形成すること、及び
ｆ．前記内側シール層（Ａ）を前記個別にラッピングされた包装体の前記フィルムポリマー材料にシールさせることなく、前記フィルム筒を畳み込むと共に畳み込まれた端部をシールすることによって、前記ネイキッドコレーション包装体の各端面でエンベロープシールを形成すること、
を含む、ネイキッドコレーション包装体を形成する方法。
【請求項２】
前記内側シール層（Ａ）の前記ポリマー材料が、低ヒートシール閾値を有する少なくとも１つのポリオレフィン成分を含む、請求項１に記載の方法。
【請求項３】
前記外側シール層（Ｂ）の前記ポリマー材料が、低ヒートシール閾値を有する少なくとも１つのポリオレフィン成分を含む、請求項１又は２に記載の方法。
【請求項４】
前記外側シール層（Ｂ）の前記ポリオレフィン材料もまた、炭素鎖長ｙを有するモノマーオレフィンに由来する少なくとも１つのポリオレフィン成分を含む、請求項１〜３のいずれか一項に記載の方法。
【請求項５】
ｘ及びｙが共に２〜４である、請求項１〜４のいずれか一項に記載の方法。
【請求項６】
前記シール条件が、シール作業のための高められた温度及び／又は圧力、並びに保持時間の条件を含む、請求項１〜５のいずれか一項に記載の方法。
【請求項７】
シール温度が８０℃超である、請求項６に記載の方法。
【請求項８】
シール温度が２００℃未満である、請求項６又は７に記載の方法。
【請求項９】
前記保持時間が０．０５秒〜２秒である、請求項６〜８のいずれか一項に記載の方法。
【請求項１０】
前記内側シール層（Ａ）及び／又は前記外側シール層（Ｂ）の厚みは、０．０５μｍから２μｍである、請求項１〜９のいずれか一項に記載の方法。
【請求項１１】
前記ネイキッドコレーションフィルムの厚みは、１５μｍから３０μｍである、請求項１〜１０のいずれか一項に記載の方法。
【請求項１２】
前記ネイキッドコレーションフィルムは、収縮性のネイキッドコレーションフィルムである、請求項１〜１１のいずれか一項に記載の方法。
【請求項１３】
前記内側シール層（Ａ）及び前記外側シール層（Ｂ）は、同一の材料から形成され、又は異なる材料から形成されている、請求項１〜１２のいずれか一項に記載の方法。
【請求項１４】
前記ネイキッドコレーションフィルムは、前記フィルムポリオレフィン材料に個別にラッピングされた前記包装体の前記配列を囲む筒状に準備される、請求項１〜１３のいずれか一項に記載の方法。
【請求項１５】
前記ネイキッドコレーションフィルムの前記内側シール層（Ａ）の、それ自体及び／又は前記外側シール層（Ｂ）に対する、前記選択されたシール条件におけるシール強度は、１００ｇ／２５ｍｍ超である、請求項１〜１４のいずれか一項に記載の方法。
【請求項１６】
前記ネイキッドコレーションフィルムの前記内側シール層（Ａ）の、それ自体及び／又は前記外側シール層（Ｂ）に対する、前記選択されたシール条件におけるシール強度は、４００ｇ／２５ｍｍ超である、請求項１〜１５のいずれか一項に記載の方法。
【請求項１７】
前記ネイキッドコレーションフィルムの前記内側シール層（Ａ）及び前記外側シール層（Ｂ）の一方又は両方の、それ自体及び／又は他方のシール層に対するシール強度は、その前記フィルムポリオレフィン材料に対するシール強度よりも、少なくとも５０ｇ／２５ｍｍ高い、請求項１〜１６のいずれか一項に記載の方法。
【請求項１８】
前記ネイキッドコレーションフィルムの前記内側シール層（Ａ）及び前記外側シール層（Ｂ）の一方又は両方の、それ自体及び／又は他方のシール層に対するシール強度は、その前記フィルムポリオレフィン材料に対するシール強度よりも、少なくとも１５０ｇ／２５ｍｍ高い、請求項１〜１７のいずれか一項に記載の方法。
【請求項１９】
前記シール条件は、８０℃から２００℃の高められた温度条件を含む、請求項１〜１８のいずれか一項に記載の方法。
【請求項２０】
前記シール条件は、９０℃から１５０℃の高められた温度条件を含む、請求項１〜１９のいずれか一項に記載の方法。
【請求項２１】
請求項１〜２０のいずれか一項に記載の方法によって製造される、ネイキッドコレーション包装体。
【請求項２２】
ネイキッドコレーション包装体であって、ポリオレフィンフィルム材料に個別に包装された個包装体の配列を含み、前記個包装体は、ネイキッドコレーションフィルムにおいて前記ネイキッドコレーション包装体にまとめて包装され、前記ネイキッドコレーションフィルムは、ポリオレフィンコア層（Ｃ）と、ポリオレフィン内側シール層（Ａ）と、ポリオレフィン外側シール層（Ｂ）とを有するシール可能なポリオレフィンフィルムを含み、前記内側シール層（Ａ）のポリオレフィン材料は、特定のシール条件下で、前記個包装体の前記フィルムポリオレフィン材料にシール適合しないように選択され、前記外側シール層（Ｂ）のポリオレフィン材料は、前記選択されたシール条件下で、前記外側シール層（Ｂ）にシール適合し且つ前記内側シール層（Ａ）にシール適合するように選択され、前記個別にラッピングされた包装体の前記フィルムポリオレフィン材料の外面は、炭素鎖長ｘを有するモノマーオレフィンに由来する少なくとも１つのポリオレフィン成分を含み、前記内側シール層（Ａ）の前記ポリオレフィン材料は、前記炭素鎖長ｘと異なる炭素鎖長ｙを有するモノマーオレフィンに由来する少なくとも１つのポリオレフィン成分を含み、前記個包装体は、前記ネイキッドコレーション包装体の内側において規則的配置で配列され、前記ネイキッドコレーションフィルムは、前記個包装体の前記規則的配置の回りにラッピングされ、且つ円周シールにおいてそれ自体にシールされ、前記ネイキッドコレーション包装体の各端面でのエンベロープシールにおいてそれ自体にシールされ、前記ネイキッドコレーションフィルムと前記個包装体の前記フィルム材料とはシールされていない、ネイキッドコレーション包装体。
【請求項２３】
前記内側シール層（Ａ）及び／又は前記外側シール層（Ｂ）の厚みは、０．０５μｍから２μｍである、請求項２１又は２２に記載のネイキッドコレーション包装体。
【請求項２４】
前記ネイキッドコレーションフィルムの厚みは、１５μｍから３０μｍである、請求項２１〜２３のいずれか一項に記載のネイキッドコレーション包装体。
【請求項２５】
前記ネイキッドコレーションフィルムは、収縮性のネイキッドコレーションフィルムである、請求項２１〜２４のいずれか一項に記載のネイキッドコレーション包装体。
【請求項２６】
前記内側シール層（Ａ）及び前記外側シール層（Ｂ）は、同一の材料から形成され、又は異なる材料から形成されている、請求項２１〜２５のいずれか一項に記載のネイキッドコレーション包装体。
【請求項２７】
前記ネイキッドコレーションフィルムは、前記フィルムポリオレフィン材料に個別にラッピングされた前記包装体の前記配列を囲む筒状に準備される、請求項２１〜２６のいずれか一項に記載のネイキッドコレーション包装体。
【請求項２８】
前記ネイキッドコレーションフィルムの前記内側シール層（Ａ）の、それ自体及び／又は前記外側シール層（Ｂ）に対する、前記選択されたシール条件におけるシール強度は、１００ｇ／２５ｍｍ超である、請求項２１〜２７のいずれか一項に記載のネイキッドコレーション包装体。
【請求項２９】
前記ネイキッドコレーションフィルムの前記内側シール層（Ａ）の、それ自体及び／又は前記外側シール層（Ｂ）に対する、前記選択されたシール条件におけるシール強度は、４００ｇ／２５ｍｍ超である、請求項２１〜２８のいずれか一項に記載のネイキッドコレーション包装体。
【請求項３０】
前記ネイキッドコレーションフィルムの前記内側シール層（Ａ）及び前記外側シール層（Ｂ）の一方又は両方の、それ自体及び／又は他方のシール層に対するシール強度は、その前記フィルムポリオレフィン材料に対するシール強度よりも、少なくとも５０ｇ／２５ｍｍ高い、請求項２１〜２９のいずれか一項に記載のネイキッドコレーション包装体。
【請求項３１】
前記ネイキッドコレーションフィルムの前記内側シール層（Ａ）及び前記外側シール層（Ｂ）の一方又は両方の、それ自体及び／又は他方のシール層に対するシール強度は、その前記フィルムポリオレフィン材料に対するシール強度よりも、少なくとも１５０ｇ／２５ｍｍ高い、請求項２１〜３０のいずれか一項に記載のネイキッドコレーション包装体。
【請求項３２】
前記シール条件は、８０℃から２００℃の高められた温度条件を含む、請求項２１〜３１のいずれか一項に記載のネイキッドコレーション包装体。
【請求項３３】
前記シール条件は、９０℃から１５０℃の高められた温度条件を含む、請求項２１〜３２のいずれか一項に記載のネイキッドコレーション包装体。